(57)【要約】      （修正有）【課題】需要者側でＢＧＭ演奏データのスケジュールとＢＧＭ演奏データ間に挿入する報知情報とを自由にレイアウトすることができるＢＧＭ配信システムを提供する。【解決手段】配信センタ１は、ＢＧＭ再生装置２からスケジュール作成要求があったときに、コンテンツの選択及びその配列順を設定するスケジュール作成情報を送信してスケジュールの作成を行うスケジュール作成手段１２と、作成されたスケジュールに従ってＢＧＭ配列データを作成し、ＢＧＭ再生装置２に送信するコンテンツ配信手段１６，１８とを備え、ＢＧＭ再生装置２は、コンテンツスケジュール作成要求を送信し、スケジュール作成手段１２から送信されるスケジュール作成情報に基づいてコンテンツの選択及びその配列順を入力するスケジュール入力装置２１と、配信センタ１から送信されたＢＧＭ配列データを受信して再生するＢＧＭ再生手段２３とを備えている。【選択図】図１
2006221046.tif 000002
【特許請求の範囲】
【請求項１】
少なくともＢＧＭ演奏データ、報知情報等を含んで構成されるコンテンツを配列したＢＧＭ配列データを配信する配信センタと、該配信センタから配信されたコンテンツを受信して当該コンテンツを再生するＢＧＭ再生装置と、前記配信センタにアクセスして前記ＢＧＭ再生装置で再生する前記コンテンツを選択すると共に、配列順を指定してコンテンツ再生スケジュールを作成するスケジュール入力装置とを備えたことを特徴とするＢＧＭ配信システム。
【請求項２】
少なくともＢＧＭ演奏データ、報知情報等を含んで構成されるコンテンツを配列したＢＧＭ配列データを配信する配信センタと、該配信センタから配信されたコンテンツを受信して当該コンテンツを再生するＢＧＭ再生装置とを備え、
前記配信センタは、前記ＢＧＭ再生装置からコンテンツスケジュール作成要求があったときに、コンテンツの選択及びその配列順を設定するためのスケジュール作成情報を前記ＢＧＭ再生装置に送信してコンテンツ再生スケジュールの作成を行うスケジュール作成手段と、該スケジュール作成手段で作成されたコンテンツ再生スケジュールに従ってコンテンツを配列した前記ＢＧＭ配列データを作成し、前記ＢＧＭ再生装置に送信するコンテンツ配信手段とを有し、
前記ＢＧＭ再生装置は、前記配信センタにアクセスして、前記コンテンツスケジュール作成要求を送信し、前記スケジュール作成手段から送信されるスケジュール作成情報に基づいてコンテンツの選択及びその配列順を入力するスケジュール入力装置と、前記配信センタから送信されたＢＧＭ配列データを受信して再生するＢＧＭ再生端末とを有することを特徴とするＢＧＭ配信システム。
【請求項３】
少なくともＢＧＭ演奏データで構成されるコンテンツを配列したＢＧＭ配列データを配信する配信センタと、該配信センタから配信されたコンテンツを受信して当該コンテンツを再生するＢＧＭ再生装置とを備え、
前記配信センタは、前記ＢＧＭ再生装置からコンテンツスケジュール作成要求があったときに、コンテンツの選択及びその配列順を設定するためのスケジュール作成情報を前記ＢＧＭ再生装置に送信してコンテンツ再生スケジュールの作成を行うスケジュール作成手段と、該スケジュール作成手段で作成されたコンテンツ再生スケジュールに従ってコンテンツを配列した前記ＢＧＭ配列データを作成し、前記ＢＧＭ再生装置に送信するコンテンツ配信手段とを備え、
前記ＢＧＭ再生装置は、前記配信センタにアクセスして、前記コンテンツスケジュール作成要求を送信し、前記スケジュール作成手段から送信されるスケジュール作成情報に基づいてコンテンツの選択及びその配列順を入力するスケジュール入力装置と、前記配信センタから送信されたＢＧＭ配列データを受信して記憶するＢＧＭ配列データ受信手段と、受信したＢＧＭ配列データに所望の報知情報を挿入して店舗用ＢＧＭ配列データを形成する報知情報挿入手段と、該報知情報挿入手段で形成した店舗用ＢＧＭ配列データを配信するＢＧＭ配信手段と、該ＢＧＭ配信手段で配信された店舗用ＢＧＭ配列データを受信して再生する複数のＢＧＭ再生端末とを備えていることを特徴とするＢＧＭ配信システム。
【請求項４】
前記配信センタで配信するコンテンツは、ＢＧＭ演奏データ、ＢＧＭ配列データの配信先毎に異なる案内音声情報、広告音声情報で構成されていることを特徴とする請求項１乃至３の何れか１項に記載のＢＧＭ配信システム。
【請求項５】
前記配信センタは、スケジュール作成手段で作成したＢＧＭ配列データに基づいてＢＧＭ使用料を計算する使用料算出手段と、該使用料算出手段で算出した使用料に基づいて著作権料を算出する著作権料算出手段とを備えていることを特徴とする請求項１乃至４の何れか１項に記載のＢＧＭ配信システム。
【請求項６】
前記配信センタは、スケジュール作成手段で作成したＢＧＭ配列データに広告音声情報のコンテンツが含まれているときに、前記使用料算出手段で算出した使用料金を減額するように構成されていることを特徴とする請求項５に記載のＢＧＭ配信システム。
【請求項７】
前記コンテンツ配信手段は、スケジュール作成手段で作成したスケジュールが開始される前にＢＧＭ配列データを所定のＢＧＭ再生装置に配信するように構成されていることを特徴とする請求項１乃至６の何れか１項に記載のＢＧＭ配信システム。
【請求項８】
前記ＢＧＭ再生装置は、配信センタから配信されたＢＧＭ配列データの演奏スケジュールが終了したときに、配信されたＢＧＭ配列データを消去するように構成されていることを特徴とする請求項１乃至７の何れか１項に記載のＢＧＭ配信システム。
【発明の詳細な説明】
【技術分野】
【０００１】
本発明は、配信センタからＢＧＭ情報を店舗等に配設したＢＧＭ再生装置に配信して所望のスケジュールでＢＧＭを再生するようにしたＢＧＭ配信システムに関する。
【背景技術】
【０００２】
従来のＢＧＭ配信システムとしては、例えば配信センタに数万曲のＢＧＭ演奏データを蓄積記憶しておくと共に、店舗等に音源を内蔵するＢＧＭ端末装置を配置し、ＢＧＭ端末装置は１日に１回、配信センタから１日分のＢＧＭ演奏データをまとめてダウンロードし、ダウンロードする曲はスケジューラリモコンから入力された演奏スケジュールに基づいて選択され、ダウンロードされたＢＧＭ演奏データは演奏スケジュールにしたがって演奏されるようにしたＢＧＭ端末装置が知られている（例えば特許文献１参照）。
【特許文献１】特開平９−２４７１０５号公報（第１頁、図１）
【発明の開示】
【発明が解決しようとする課題】
【０００３】
しかしながら、上記特許文献１に記載された従来例にあっては、時間帯毎にＢＧＭ演奏データをダウンロードして記憶しておくことにより、連続的にＢＧＭ演奏データを再生することができるが、ＢＧＭ演奏データの間に店舗の案内音声情報や広告音声情報等を挿入することができないという未解決の課題がある。
【０００４】
また、上記従来例にあっては、ＢＧＭ端末装置が配信センタに対して直接アクセスするように構成されているので、例えば複数の売り場を有する店舗で、異なるＢＧＭ演奏を行いたい場合には、売り場数に応じた数のＢＧＭ端末装置を配置して配信センタにアクセスする必要があり、複数のＢＧＭ端末装置に対して個別にＢＧＭ演奏データをダウンロードする必要があり、効率が悪いという未解決の課題もある。
【０００５】
そこで、本発明は、上記従来例の未解決の課題に着目してなされたものであり、需要者側でＢＧＭ演奏データのスケジュールとＢＧＭ演奏データ間に挿入する報知情報とを自由にレイアウトすることができるＢＧＭ配信システムを提供することを目的としている。
【０００６】
また、本発明は、需要者側で配信されたＢＧＭ演奏データと所望の報知情報とを組み合わせて店舗用ＢＧＭ配列データを形成し、形成した店舗用ＢＧＭ配列データを複数のＢＧＭ演奏端末に配信して売り場毎に異なるＢＧＭ演奏を行うことができるＢＧＭ配信システムを提供することを他の目的としている。
【課題を解決するための手段】
【０００７】
上記目的を達成するために、請求項１に係るＢＧＭ配信システムは、少なくともＢＧＭ演奏データ、報知情報等を含んで構成されるコンテンツを配列したＢＧＭ配列データを配信する配信センタと、該配信センタから配信されたコンテンツを受信して当該コンテンツを再生するＢＧＭ再生装置と、前記配信センタにアクセスして前記ＢＧＭ再生装置で再生する前記コンテンツを選択すると共に、配列順を指定してコンテンツ再生スケジュールを作成するスケジュール入力装置とを備えたことを特徴としている。
【０００８】
また、請求項２に係るＢＧＭ配信システムは、少なくともＢＧＭ演奏データや案内音声情報で構成されるコンテンツを配列したＢＧＭ配列データを配信する配信センタと、該配信センタから配信されたコンテンツを受信して当該コンテンツを再生するＢＧＭ再生装置とを備え、前記配信センタは、前記ＢＧＭ再生装置からコンテンツスケジュール作成要求があったときに、コンテンツの選択及びその配列順を設定するためのスケジュール作成情報を前記ＢＧＭ再生装置に送信してコンテンツ再生スケジュールの作成を行うスケジュール作成手段と、該スケジュール作成手段で作成されたコンテンツ再生スケジュールに従ってコンテンツを配列した前記ＢＧＭ配列データを作成し、前記ＢＧＭ再生装置に送信するコンテンツ配信手段とを有し、前記ＢＧＭ再生装置は、前記配信センタにアクセスして、前記コンテンツスケジュール作成要求を送信し、前記スケジュール作成手段から送信されるスケジュール作成情報に基づいてコンテンツの選択及びその配列順を入力するスケジュール入力装置と、前記配信センタから送信されたＢＧＭ配列データを受信して再生するＢＧＭ再生手段とを有することを特徴としている。
【０００９】
さらに、請求項３に係るＢＧＭ配信システムは、少なくともＢＧＭ演奏データで構成されるコンテンツを配列したＢＧＭ配列データを配信する配信センタと、該配信センタから配信されたコンテンツを受信して当該コンテンツを再生するＢＧＭ再生装置とを備え、前記配信センタは、前記ＢＧＭ再生端末からコンテンツスケジュール作成要求があったときに、コンテンツの選択及びその配列順を設定するためのスケジュール作成情報を前記ＢＧＭ再生装置に送信してコンテンツ再生スケジュールの作成を行うスケジュール作成手段と、該スケジュール作成手段で作成されたコンテンツ再生スケジュールに従ってコンテンツを配列した前記ＢＧＭ配列データを作成し、前記ＢＧＭ再生装置に送信するコンテンツ配信手段とを有し、前記ＢＧＭ再生装置は、前記配信センタにアクセスして、前記コンテンツスケジュール作成要求を送信し、前記スケジュール作成手段から送信されるスケジュール作成情報に基づいてコンテンツの選択及びその配列順を入力するスケジュール入力装置と、前記配信センタから送信されたＢＧＭ配列データを受信して記憶するＢＧＭ配列データ受信手段と、受信したＢＧＭ配列データに案内情報を挿入して店舗用ＢＧＭ配列データを形成する案内情報挿入手段と、該案内情報挿入手段で形成した店舗用ＢＧＭ配列データを配信するＢＧＭ配信手段と、該ＢＧＭ配信手段で配信された店舗用ＢＧＭ配列データを受信して再生する複数のＢＧＭ再生端末とを備えていることを特徴としている。
【００１０】
さらにまた、請求項４に係るＢＧＭ配信システムは、請求項１乃至３の何れか１つに係る発明において、前記配信センタで配信するコンテンツは、ＢＧＭ演奏データ、ＢＧＭ配列データの配信先毎に異なる案内音声情報、広告音声情報で構成されていることを特徴としている。
【００１１】
なおさらに、請求項５に係るＢＧＭ配信システムは、請求項１乃至４の何れか１つの発明において、前記配信センタは、スケジュール作成手段で作成したＢＧＭ配列データに基づいてＢＧＭ使用料を計算する使用料算出手段と、該使用料算出手段で算出した使用料に基づいて著作権料を算出する著作権料算出手段とを備えていることを特徴としている。
【００１２】
また、請求項６に係るＢＧＭ配信システムは、請求項５の発明において、前記配信センタは、スケジュール作成手段で作成したＢＧＭ配列データに広告音声情報のコンテンツが含まれているときに、前記使用料算出手段で算出した使用料金を減額するように構成されていることを特徴としている。
【００１３】
また、請求項７に係るＢＧＭ配信システムは、請求項１乃至６の何れか１つの発明において、前記コンテンツ配信手段は、スケジュール作成手段で作成したスケジュールが開始される前にＢＧＭ配列データを所定のＢＧＭ再生装置に配信するように構成されていることを特徴としている。
【００１４】
さらに、請求項８に係るＢＧＭ配信システムは、請求項１乃至７の何れか１つの発明において、前記ＢＧＭ再生装置は、配信センタから配信されたＢＧＭ配列データの演奏スケジュールが終了したときに、配信されたＢＧＭ配列データを消去するように構成されていることを特徴としている。
【発明の効果】
【００１５】
本発明によれば、ＢＧＭ演奏データ、広告情報や店舗案内情報、特売情報等の報知情報を含んで構成されるコンテンツを配列したＢＧＭ配列データを配信センタからＢＧＭ再生装置に配信する際に、ＢＧＭ再生装置側でスケジュール入力装置でコンテンツの選択及びその配列順を入力することにより、コンテンツの選択及びその配列順を設定したコンテンツ再生スケジュールを作成し、作成したコンテンツ再生スケジュールに従ってコンテンツ配信手段でコンテンツを配列したＢＧＭ配列データを作成してＢＧＭ再生装置に送信することにより、このＢＧＭ再生装置でＢＧＭ配列データに基づいてコンテンツを再生することができ、ＢＧＭ演奏データを含むコンテンツの配信先で好みのスケジュールを作成することができるという効果が得られる。
【００１６】
また、本発明によれば、ＢＧＭ再生装置側で、配信センタから配信されたＢＧＭ配列データを受信したときに、受信したＢＧＭ配列データに所望の報知情報を挿入して店舗用ＢＧＭ配列データを形成することができ、店舗用ＢＧＭ配列データの作成自由度を向上させることができると共に、例えば売り場毎に異なる報知情報を挿入した店舗用ＢＧＭ配列データを作成し、これを売り場毎に設置したＢＧＭ再生端末に配信することにより、売り場毎に最適なＢＧＭ演奏データを含むコンテンツ再生を行うことができるという効果が得られる。
【発明を実施するための最良の形態】
【００１７】
以下、本発明の実施の形態を図面に基づいて説明する。
【００１８】
図１は本発明の第１の実施形態を示すシステム構成図であって、図中、１はＢＧＭ演奏データ、報知情報等を含むコンテンツを配信する配信センタであって、この配信センタ１からコンテンツを所定のスケジュールで配列したＢＧＭ配列データをインターネット等のネットワークを介してＢＧＭ再生装置２に配信して、このＢＧＭ再生装置２でＢＧＭ配列データを再生することにより、スケジュールに従ったＢＧＭ演奏データや報知情報を再生することができる。
【００１９】
配信センタ１は、多数のＢＧＭ演奏データで構成されるコンテンツ及び広告情報で構成されるコンテンツ等を登録したＢＧＭデータベース１１と、ＢＧＭ再生装置からスケジュール作成要求があったときに、対話形式でコンテンツの選択及びその配列順を設定するスケジュール作成情報を送信してスケジュールを作成するスケジュール作成手段としてのスケジュール作成部１２と、このスケジュール作成部１２で作成したスケジュールに基づいて広告情報の使用料を管理する広告情報管理部１３と、スケジュール作成部１２で作成したスケジュールに従って顧客毎の使用料を算出する使用料算出手段としての使用料算出部１４と、この使用料算出部１４で算出した使用料に基づいて著作権料を算出する著作権料算出手段としての著作権料算出部１５と、スケジュール作成部１２で作成されたスケジュールに従ってコンテンツを配列したＢＧＭ配列データを作成するＢＧＭ配列データ作成部１６とを有する管理サーバ１７と、この管理サーバ１７のＢＧＭ配列データ作成部１６で作成したＢＧＭ配列データを顧客のＢＧＭ再生装置２に配信する配信サーバ１８とを備えている。
【００２０】
ここで、スケジュール作成部１２は、後述するようにＢＧＭ再生装置２のスケジュール入力装置２１からスケジュール作成要求があったときに、対話形式でコンテンツの選択及びその配列順を設定するスケジュール作成情報を送信する。このスケジュール作成情報は、ＢＧＭ演奏データ等コンテンツを再生する日付、時間帯を設定するためのＨＴＭＬ形式の時間帯設定画面データを送信してスケジュール入力装置２１に接続された表示装置２２に表示し、この表示装置２２に表示された時間帯設定画面に基づいて必要な時間帯例えば１０時から１２時、１２時から１３時、１３時から１７時、１７時から２１時等の設定が完了すると、次いで各時間帯で再生するコンテンツをＢＧＭデータベース１１に格納されているＢＧＭ演奏データ、広告情報、販売促進キャンペーン情報から選択するためのＨＴＭＬ形式の選択画面データをスケジュール入力装置２１に送信してこのスケジュール入力装置２１に接続された表示装置２２に、ＢＧＭ演奏データと、広告情報、販売促進キャンペーン情報等の報知情報の何れを選択するかを設定する設定画面を表示し、この設定画面からＢＧＭ演奏データを選択した場合には、クラシック、ジャズ、演歌、ポップス等のジャンル別検索画面や演奏者別検索画面等のＢＧＭ演奏データ検索画面を表示して、検索対象データが入力されると、入力された検索対象データに対応したジャンルの楽曲検索画面データを送信し、この楽曲検索画面データに基づいて表示される楽曲検索画面に基づいてＢＧＭ演奏データが選択されると、選択されたＢＧＭ演奏曲名データを記憶部に記憶し、この選択処理を繰り返すことにより、所望時間帯に演奏するＢＧＭ演奏曲名データを順次記憶部に記憶し、ＢＧＭ演奏曲名データの選択が終了すると、記憶部に記憶されているＢＧＭ演奏曲名データを一覧表データとして表示する一覧表表示画面データをスケジュール入力装置２１に送信し、再生順序の設定を行う。また、報知情報を選択した場合には、各時間帯でのＢＧＭ演奏データの合間に挿入したい広告情報及び販売促進キャンペーン情報等を選択するＨＴＭＬ形式の報知情報選択画面データをスケジュール入力装置２１に送信して、表示装置２２に報知情報選択画面を表示して所望の報知情報を選択し、次いで選択した報知情報を何れのＢＧＭ演奏データ間に挿入するかを決定する報知情報挿入決定画面データをスケジュール入力装置２１に送信して、表示装置２２に報知情報挿入決定画面を表示し、この報知情報挿入決定画面に基づいて所望のＢＧＭ演奏データ間に報知情報を挿入するスケジュールを決定する。
【００２１】
このスケジュール作成部１２で所望の時間帯にＢＧＭ演奏データ、報知情報を配列したスケジュールが作成されると、このスケジュールがＢＧＭ配列データ作成部１６に供給され、このＢＧＭ配列データ作成部１６で、スケジュールに設定されているＢＧＭ演奏データ、報知情報を順次読出してＢＧＭ演奏データ及び報知情報を順次配列したＢＧＭ配列データを作成し、作成したＢＧＭ配列データを配信サーバ１８に送出する。
【００２２】
配信サーバ１８では、ＢＧＭ配列データ作成部１６で作成したＢＧＭ配列データを圧縮した圧縮ＢＧＭ配列データとしてスケジュールで設定された最初の時間帯の開始時刻の前にスケジュール作成要求があったＢＧＭ再生装置２のＢＧＭ再生端末２３に配信する。なお、ＢＧＭ配列データ作成部１６と配信サーバ１８とでコンテンツ配信手段が構成されている。
【００２３】
また、スケジュール作成部１２でスケジュールが作成されると、スケジュールに組込まれている広告情報の数が広告情報管理部１３に供給され、この広告情報管理部で、使用されている広告情報数を把握して、実績データを広告主に例えばインターネットを介して所定時刻に送信する。
【００２４】
さらに、スケジュール作成部１２でスケジュールが作成されると、使用料算出部１４で、顧客別の１カ月単位の使用料を算出する。このとき、スケジュールに広告情報が含まれている場合には、この広告情報数に応じて割引使用料を算出し、この割引使用料を１カ月単位の使用料から減額する。また、スケジュール作成部１２でスケジュールが作成されると、著作権料算出部１５で、使用したＢＧＭ演奏データ数に応じて１カ月の著作権料を算出する。
【００２５】
一方、ＢＧＭ再生装置２では、図１に示すように、配信センタ１のスケジュール作成部１２にアクセスする例えばパーソナルコンピュータで構成されるスケジュール入力装置２１と、このスケジュール入力装置２１に接続された液晶ディスプレイ、ＣＲＴディスプレイ等の表示装置２２と、前述した配信サーバ１８から配信されるＢＧＭ配列データを記憶するＢＧＭ配列データ記憶部２３ａを有するＢＧＭ再生手段としてのＢＧＭ再生端末２３とを備えている。
【００２６】
ここで、スケジュール入力装置２１は、新規にスケジュールを作成する場合やスケジュールを変更する場合に、管理サーバ１７のスケジュール作成部１２にスケジュール作成要求を行い、スケジュール作成部１２から送信される時間帯設定画面に基づいてＢＧＭ演奏データを再生する所望の時間帯を設定すると共に、設定した時間帯に再生するＢＧＭ演奏データ及び報知情報のコンテンツ情報を選択して、その配列順を設定するスケジュールを作成する。
【００２７】
また、ＢＧＭ再生端末２３では、配信サーバ１８から配信される圧縮ＢＧＭ配列データを受信すると、このＢＧＭ配列データをＢＧＭ配列データ記憶部２３ａに記憶すると共に、時刻を監視する時刻監視部２３ｂで監視する時刻に基づいて時間帯の開始及び終了を判断して、時間帯の開示前にＢＧＭ配列データ記憶部２３ａに記憶されている該当時間帯のＢＧＭ配列データを解凍して伸長し、これを音声処理部２４を介してスピーカ２５に供給することにより、ＢＧＭ配列データを順次再生する。そして、１つの時間帯が終了すると、該当する時間帯のＢＧＭ配列データがＢＧＭ配列データ記憶部２３ａから削除される。
【００２８】
次に、上記第１の実施形態の動作を説明する。
【００２９】
先ず、顧客が自己の店舗で再生するＢＧＭ演奏データや店舗案内、販売促進キャンペーン、広告情報等の報知情報を含むＢＧＭ配列データを作成するか又は変更したい場合には、スケジュール入力装置２１から配信センタ１の管理サーバ１７におけるスケジュール作成部１２に際してスケジュール作成要求を送信する。
【００３０】
スケジュール作成部１２では、スケジュール作成要求を受信すると、図２に示すような、日付記入欄３１、時間帯記入欄３２及びＢＧＭ配列データ識別番号記入欄３３とを有するスケジュールテーブル３４を表示するＨＴＭＬ形式のスケジュールテーブル表示データをスケジュール入力装置２１に送信して、スケジュール入力装置２１の表示装置２２にスケジュールテーブル３４を表示し、表示されたスケジュールテーブル３４で作成又は修正する時間帯の開始又は終了の時刻データを設定する。
【００３１】
そして、スケジュールテーブル３４の作成が終了すると、作成したスケジュールテーブル３４の時間帯で再生したいコンテンツを選択するコンテンツ選択画面データをスケジュール入力装置２１に送信する。このコンテンツ選択画面では、先ず、ＢＧＭ演奏データ、広告情報、販売促進キャンペーン情報の何れを選択するかを設定する設定画面データを送信し、この設定画面データで例えばＢＧＭ演奏データの選択を設定した場合には、ＢＧＭデータベース１１に格納されている多数のＢＧＭ演奏データから必要なＢＧＭ演奏データを検索する検索画面表示データをスケジュール入力装置２１に送信し、その表示装置２２で表示された検索画面に基づいて所望のＢＧＭ演奏データの曲名を順次選択すると、これが記憶部１２ａに記憶される。
【００３２】
そして、所望の時間帯で再生するＢＧＭ演奏データの曲名の選択が終了すると、選択されたＢＧＭ演奏データの曲名一覧リスト表示データがスケジュール入力装置２１に送信されて、その表示装置２２に曲名一覧リストが表示され、この曲名一覧リストに基づいて並び順を好みに応じて調整し、調整が終了したときに最終的な曲名一覧リストを記憶部１２ａに記憶する。
【００３３】
そして、所望の時間帯におけるＢＧＭ演奏データの選択が終了すると、同様に広告情報及び販売促進キャンペーン情報の選択処理を行って広告情報一覧リスト及び販売促進キャンペーン情報一覧リストを記憶部１２ａに記憶し、これらの選択処理が終了したときには、曲名一覧リスト、広告情報一覧リスト及び販売促進キャンペーン情報一覧リストをスケジュール入力装置２１に送信して、これらを表示装置２２に表示し、曲面一覧リストの所望の曲名間に広告情報一覧リストの広告情報及び又は販売促進キャンペーン情報一覧リストの販売促進キャンペーン情報を挿入して、所望時間帯のコンテンツを配列したスケジュールを作成する。
【００３４】
このように、スケジュールが作成されると、このスケジュールに基づいて広告情報管理部１３で広告情報の使用状況を把握すると共に、使用料算出部１４で顧客別の１カ月の使用料を算出し、広告情報が含まれている場合には、その広告情報数に応じた割引料金を算出し、これを割り引いて１カ月の使用料を算出する。これと同時に著作権料算出部１５でスケジュールに基づいて再生されるＢＧＭ演奏データに応じた著作権料が算出される。
【００３５】
一方、ＢＧＭ配列データ作成部１６で、スケジュールに従って時間帯毎に実際のＢＧＭ演奏データ、広告情報及び販売促進キャンペーン情報を配列したＢＧＭ配列データを作成し、これを圧縮してから配信サーバ１８に送信する。
【００３６】
この配信サーバ１８では、スケジュールを参照して、ＢＧＭ配列データが再生される時間帯が開始するまでの間にＢＧＭ配列データのＢＧＭ再生端末２３への配信が完了するように時間帯の開始時刻より所定時間前に圧縮ＢＧＭ配列データをインターネットを介してＢＧＭ再生端末２３に配信する。
【００３７】
このため、ＢＧＭ再生端末２３では、配信サーバ１８から配信された圧縮ＢＧＭ配列データをＢＧＭ配列データ記憶部２３ａに記憶し、時刻監視部２３ｂで時間帯の開始時刻となると、ＢＧＭ配列データ記憶部２３ａから圧縮ＢＧＭ配列データを読出し、これを解凍して伸長してから音声処理部２４を介してスピーカ２５に供給することにより、ＢＧＭ配列データを再生する。
【００３８】
このように、上記第１の実施形態によると、顧客側のＢＧＭ再生装置２３で、スケジュールを会話形式で任意に選択することができ、ＢＧＭ演奏データと広告情報、販売促進キャンペーン情報とを組み合わせたＢＧＭ配列データを自由にレイアウトすることができ、顧客の好みに応じたＢＧＭ配列データを容易に形成することができる。
【００３９】
また、スケジュール作成部１２で、スケジュールが作成されると、これに基づいて使用料算出部１４で顧客別の１カ月の使用料が自動的に算出ると共に、スケジュールに広告情報が含まれている場合にはこれに応じた割引料金が算出されて、これが１カ月の使用料から減額される。このため、顧客では広告情報が多くなればなる程割引料金が高くなるので、広告情報の挿入量の増加を促すことができる。
【００４０】
また、スケジュールに基づいて著作権料算出部で、自動的に著作権料を算出することができ、著作権料の納付を容易に行うことができる。
【００４１】
また、ＢＧＭ再生装置２では、設定された時間帯のＢＧＭ配列データの再生が終了すると、該当するＢＧＭ配列データがＢＧＭ配列データ記憶部２３ａから消去されるので、ＢＧＭ再生装置２でＢＧＭ配列データを不正使用することを確実に防止することができる。
【００４２】
次に、本発明の第２の実施形態を図３について説明する。
【００４３】
この第２の実施形態では、ＢＧＭ再生装置２側でＢＧＭ配列データへの報知情報の挿入を行うようにしたものである。
【００４４】
すなわち、第２の実施形態では、ＢＧＭ演奏データについては前述した第１の実施形態と同様にスケジュール作成部１２及びスケジュール入力装置２１の連携によって所望の時間帯のＢＧＭ演奏曲名一覧リストを作成して、スケジュールを作成し、作成したスケジュールをＢＧＭ配列データ作成部１６に供給して、ＢＧＭデータベース１１から該当するＢＧＭ演奏データを順次読み出して配列することによりＢＧＭ配列データを作成し、このＢＧＭ配列データを配信サーバ１８によってＢＧＭ再生端末２３に配信する。
【００４５】
一方、ＢＧＭ再生装置２では、店舗管理サーバ４１を有し、この店舗管理サーバ４１で、配信サーバ１８から配信されたＢＧＭ配列データを記憶すると共に、報知情報挿入部４２で店舗の売り場毎に異なる販売促進キャンペーン情報などの報知情報を例えばキーボードから文章を入力することにより、入力された文章を音声合成部で音声合成して、音声情報でなる報知情報を作成し、作成した報知情報を配信サーバ１８から配信されたＢＧＭ配列データの所望のＢＧＭ演奏データ間に挿入することにより、店舗用ＢＧＭ配列データを作成し、作成した店舗用ＢＧＭ配列データを店舗用配信サーバ４３を介して売り場毎に配設された前述した第１の実施形態におけるＢＧＭ再生端末２３と同様の構成を有する複数のＢＧＭ再生端末４４に配信し、店舗用ＢＧＭ配列データの配信を実行した時点で配信実行再生ログを配信サーバ１８に送信するようにしたことを除いては前述した第１の実施形態と同様の構成を有し、図１との対応部分には同一符号を付し、その詳細説明はこれを省略する。
【００４６】
この第２の実施形態によれば、スケジュール作成部１２とスケジュール入力装置２１との連携によって、所望の時間帯におけるＢＧＭ演奏データを選択してスケジュールを作成し、作成したスケジュールに基づいてＢＧＭ配列データ作成部１６で該当するＢＧＭ演奏データをＢＧＭデータベース１１から読出てＢＧＭ配列データを作成し、これを配信サーバ１８でＢＧＭ再生装置２の店舗用管理サーバ４１に配信し、この店舗用管理サーバ４１で、受信したＢＧＭ配列データの所望のＢＧＭ演奏データ間に報知情報挿入部４２で作成した所望の報知情報を挿入して店舗用ＢＧＭ配列データを形成し、この店舗用ＢＧＭ配列データを店舗用配信サーバ４３を介して売り場毎に設置されたＢＧＭ再生端末４４に配信するので、スーパーマーケット等の大規模店舗でＢＧＭを再生する場合に、独自の店舗用ＢＧＭ配列データを作成して、売り場毎に配設されたＢＧＭ再生端末４４で再生することができる。このため、配信センタ１で各売り場のＢＧＭ再生端末４４に直接配信を行う場合に比較して、ＢＧＭ演奏データについては配信センタ１とＢＧＭ再生装置２との間のみで行うので、配信データ量を大幅に削減することができ、配信サーバ１８の負荷を軽減することができる。
【００４７】
なお、上記第２の実施形態では、配信センタ１とＢＧＭ再生装置２との間でＢＧＭ演奏データのみを配列したＢＧＭ演奏配列データを配信する場合について説明したが、これに限定されるものではなく、ＢＧＭ演奏データに広告情報を挿入したＢＧＭ配列データをＢＧＭ再生装置２に配信し、このＢＧＭ再生装置２で売り場毎の販売促進キャンペーン情報を挿入するようにしてもよい。
【００４８】
また、上記第１及び第２の実施形態では、ＢＧＭ再生装置２内にスケジュール入力装置２１を設けた場合について説明したが、これに限定されるものではなく、スケジュール入力装置２１をＢＧＭ再生装置２から独立させて別個に設けるようにしてもよい。
【図面の簡単な説明】
【００４９】
【図１】本発明の第１の実施形態を示すシステム構成図である。
【図２】スケジュールテーブルを示す説明図である。
【図３】本発明の第２の実施形態を示すシステム構成図である。
【符号の説明】
【００５０】
１…配信センタ、２…ＢＧＭ再生装置、１１…ＢＧＭデータベース、１２…スケジュール作成部、１３…広告情報管理部、１４…使用料算出部、１５…著作権料算出部、１６…、ＢＧＭ配列データ作成部、１７…管理サーバ、１８…配信サーバ、２１…スケジュール入力装置、２２…表示装置、２３…ＢＧＭ再生端末、２４…音声処理部、２５…スピーカ、４１…店舗管理サーバ、４２…報知情報挿入部、４３…店舗用配信サーバ、４４…ＢＧＭ再生端末
【図１】
2006221046.tif 000003
【図２】
2006221046.tif 000004
【図３】
2006221046.tif 000005